(57)【要約】【課題】対象者の健康管理の支援を効果的に行える健康管理支援システムを提供すること。【解決手段】本システムは、対象者の身体状態の情報を含む対象者情報を記憶する対象者情報記憶手段と、身体状態に基づいて分類される複数の健康状態カテゴリーを記述した健康状態分類テーブルを記憶する健康状態分類テーブル記憶手段と、所定の店舗で取り扱われる商品群に関する商品群情報を記憶する商品群情報記憶手段と、対象者情報、健康状態分類テーブル、および商品群情報に基づいて、所定の店舗で取り扱われる商品群の中から対象者に適した推奨商品を決定する推奨商品決定部を含む判定手段とを備える。【選択図】図１
2014164411.tif 000002
【特許請求の範囲】
【請求項１】
対象者の身体の状態に関する情報を含む対象者情報を記憶するための対象者情報記憶手段と、
前記身体の状態に基づいて分類される複数の健康状態カテゴリーを記述した健康状態分類テーブルを記憶するための健康状態分類テーブル記憶手段と、
所定の店舗で取り扱われる商品群に関する商品群情報を記憶するための商品群情報記憶手段と、
前記対象者情報、前記健康状態分類テーブル、および前記商品群情報に基づいて、前記所定の店舗で取り扱われる商品群の中から前記対象者に適した推奨商品を決定するための推奨商品決定部を含む判定手段と、を備えた健康管理支援システム。
【請求項２】
通信回線を介して外部のシステムと通信するための通信手段をさらに有し、
前記所定の店舗は、前記通信手段と通信可能な店頭設置型の情報端末が設置された店舗である、請求項１記載の健康管理支援システム。
【請求項３】
前記判定手段は、前記身体の状態に関する情報および前記健康状態分類テーブルに基づいて、前記対象者が属する前記健康状態カテゴリーを決定するための健康状態カテゴリー決定部をさらに有する、請求項１または２に記載の健康管理支援システム。
【請求項４】
前記推奨商品決定部は、前記対象者が属する前記健康状態カテゴリーに基づいて前記推奨商品を決定するように構成されている、請求項１乃至３のいずれか一項に記載の健康管理支援システム。
【請求項５】
前記対象者の消費カロリーおよび／または摂取カロリーに関するカロリー情報を記憶するためのカロリー情報記憶手段をさらに有し、
前記判定手段は、前記カロリー情報に基づいて前記対象者の運動目標および／または摂取カロリー目標を決定するための目標決定部をさらに有する、請求項１乃至４のいずれか一項に記載の健康管理支援システム。
【請求項６】
前記判定手段は、前記運動目標および／または摂取カロリー目標の達成状況に関する情報に基づいて、前記対象者に対して報償を与えるか否かを決定するための報償要否決定部をさらに有する、請求項５記載の健康管理支援システム。
【請求項７】
前記対象者の消費カロリーおよび／または摂取カロリーに関するカロリー情報を記憶するためのカロリー情報記憶手段をさらに有し、
前記判定手段は、前記カロリー情報記録手段に対する前記カロリー情報の記録履歴に基づいて、前記対象者に対して報償を与えるか否かを決定するための報償要否決定部をさらに有する、請求項１乃至４のいずれか一項に記載の健康管理支援システム。
【請求項８】
前記報償要否決定部において前記対象者に前記報償を与えるとの決定がなされた場合に、前記所定の店舗の店頭に設置された店頭設置型の情報端末に前記報償に関する情報を送信するための通信手段をさらに有する、請求項６または７に記載の健康管理支援システム。
【請求項９】
前記通信手段から送信された前記報償に関する情報に基づいて、前記店頭設置型の情報端末から、前記店舗で使用可能なクーポンが発行されるように構成されている、請求項８記載の健康管理支援システム。
【請求項１０】
前記クーポンは、前記店舗で取り扱われている商品の引換券または割引券である、請求項９記載の健康管理支援システム。
【請求項１１】
前記対象者の消費カロリーに関する情報を取得するための健康器具をさらに有する、請求項１乃至１０のいずれか一項に記載の健康管理支援システム。
【請求項１２】
前記健康器具から前記所定の店舗の店頭に設置された店頭設置型の情報端末に対して前記対象者の消費カロリーに関する情報が提供されるように構成されている、請求項１１記載の健康管理支援システム。
【請求項１３】
前記健康器具は、前記対象者が携帯して使用する方式の器具である、請求項１１または１２に記載の健康管理支援システム。
【請求項１４】
前記健康器具は、前記対象者を特定するためのＩＤ情報を記憶するためのＩＤ情報記憶手段を有する、請求項１１乃至１３のいずれか一項に記載の健康管理支援システム。
【請求項１５】
前記健康器具は、前記ＩＤ情報記憶手段に記憶された前記ＩＤ情報を前記所定の店舗の店頭に設置された店頭設置型の情報端末に送信するための健康器具側通信手段を有する、請求項１４記載の健康管理支援システム。
【請求項１６】
前記身体の状態は、身長、体重、血圧、および血糖値を含む、請求項１乃至１５のいずれか一項に記載の健康管理支援システム。
【請求項１７】
対象者の健康管理を支援する情報を生成するためにコンピュータを、
対象者の身体の状態に関する情報を含む対象者情報を記憶するための対象者情報記憶手段、
前記身体の状態に基づいて分類される複数の健康状態カテゴリーを記述した健康状態分類テーブルを記憶するための健康状態分類テーブル記憶手段、
所定の店舗で取り扱われる商品群に関する商品群情報を記憶するための商品群情報記憶手段、および
前記対象者情報、前記健康状態分類テーブル、および前記商品群情報に基づいて、前記所定の店舗で取り扱われる商品群の中から前記対象者に適した推奨商品を決定するための推奨商品決定部を含む判定手段、
として機能させるための健康管理支援プログラム。
【発明の詳細な説明】
【技術分野】
【０００１】
本発明は、対象者の身体の状態に関する情報等に基づいて、その対象者の健康管理を支援するための健康管理支援システムおよびプログラムに関する。
【背景技術】
【０００２】
従来、対象者（ユーザ）の身体の状態（体重／体組成等）に関する情報、食事（摂取カロリー）に関する情報、運動（消費カロリー）に関する情報等に基づいて、対象者の健康管理を支援するための情報（アドバイス）を生成するためのシステムが提案されている（特許文献１）。
【０００３】
対象者の健康管理を支援するための情報（アドバイス）としては、食事（摂取カロリー）に関する情報や、運動量（消費カロリー）に関する情報に基づいて、目標の摂取カロリーや目標の運動量を提示するものがあげられる。
【０００４】
ここで、目標の摂取カロリーを提示する際には、対象者の身体の状態を考慮した最適の食事メニューを提示する場合もある。
【０００５】
しかしながら、上述した従来の健康管理支援システムは、対象者の行動（生活習慣）に変容をもたらす上で、十分な成果を期待することが難しかった。
【０００６】
従来の健康管理支援システムにおいては、食事（摂取カロリー）や運動量（消費カロリー）に関する情報を、対象者自身の情報端末（ＰＣ、携帯電話等）に入力する。
【０００７】
続いて、対象者自身の情報端末に入力された食事（摂取カロリー）や運動量（消費カロリー）に関する情報は、通信回線（インターネット等）を通して所定のサーバに送信され、そこで分析が行われる。
【０００８】
そして、サーバにおける分析の結果として得られたアドバイス情報は、対象者自身の情報端末に送信される。このアドバイス情報には、例えば、上述の最適な食事メニューが含まれている。
【０００９】
しかしながら、単に食事メニューを含むアドバイス情報を対象者に提示する従来の方式では、アドバイス情報に接した対象者が直ちに行動に移すこと（その食事メニューの食材の購入等）を期待し難いという面がある。
【００１０】
特に、摂取カロリーの制限などは、心理面での負担を伴う場合が多く、例えば自宅でアドバイス情報に接した対象者に対して、その食事メニューの食材（低カロリー食品等）の購買行動を起こさせることは、必ずしも容易ではない。
【先行技術文献】
【特許文献】
【００１１】
【特許文献１】特開２０１１−２０９８７１号公報
【発明の概要】
【発明が解決しようとする課題】
【００１２】
本発明は、上述した従来の技術の問題点に鑑みて成されたものであり、対象者の健康管理の支援を効果的に行うことができる健康管理支援システムおよびプログラムを提供することを目的とする。
【課題を解決するための手段】
【００１３】
上記課題を解決するために、本発明による健康管理支援システムは、対象者の身体の状態に関する情報を含む対象者情報を記憶するための対象者情報記憶手段と、前記身体の状態に基づいて分類される複数の健康状態カテゴリーを記述した健康状態分類テーブルを記憶するための健康状態分類テーブル記憶手段と、所定の店舗で取り扱われる商品群に関する商品群情報を記憶するための商品群情報記憶手段と、前記対象者情報、前記健康状態分類テーブル、および前記商品群情報に基づいて、前記所定の店舗で取り扱われる商品群の中から前記対象者に適した推奨商品を決定するための推奨商品決定部を含む判定手段と、を備えたことを特徴とする。
【００１４】
また、好ましくは、通信回線を介して外部のシステムと通信するための通信手段をさらに有し、前記所定の店舗は、前記通信手段と通信可能な店頭設置型の情報端末が設置された店舗である。
【００１５】
また、好ましくは、前記判定手段は、前記身体の状態に関する情報および前記健康状態分類テーブルに基づいて、前記対象者が属する前記健康状態カテゴリーを決定するための健康状態カテゴリー決定部をさらに有する。
【００１６】
また、好ましくは、前記推奨商品決定部は、前記対象者が属する前記健康状態カテゴリーに基づいて前記推奨商品を決定するように構成されている。
【００１７】
また、好ましくは、前記対象者の消費カロリーおよび／または摂取カロリーに関するカロリー情報を記憶するためのカロリー情報記憶手段をさらに有し、前記判定手段は、前記カロリー情報に基づいて前記対象者の運動目標および／または摂取カロリー目標を決定するための目標決定部をさらに有する。
【００１８】
また、好ましくは、前記判定手段は、前記運動目標および／または摂取カロリー目標の達成状況に関する情報に基づいて、前記対象者に対して報償を与えるか否かを決定するための報償要否決定部をさらに有する。
【００１９】
また、好ましくは、前記対象者の消費カロリーおよび／または摂取カロリーに関するカロリー情報を記憶するためのカロリー情報記憶手段をさらに有し、前記判定手段は、前記カロリー情報記録手段に対する前記カロリー情報の記録履歴に基づいて、前記対象者に対して報償を与えるか否かを決定するための報償要否決定部をさらに有する。
【００２０】
また、好ましくは、前記報償要否決定部において前記対象者に前記報償を与えるとの決定がなされた場合に、前記所定の店舗の店頭に設置された店頭設置型の情報端末に前記報償に関する情報を送信するための通信手段をさらに有する。
【００２１】
また、好ましくは、前記通信手段から送信された前記報償に関する情報に基づいて、前記店頭設置型の情報端末から、前記店舗で使用可能なクーポンが発行されるように構成されている。
【００２２】
また、好ましくは、前記クーポンは、前記店舗で取り扱われている商品の引換券または割引券である。
【００２３】
また、好ましくは、前記対象者の消費カロリーに関する情報を取得するための健康器具をさらに有する。
【００２４】
また、好ましくは、前記健康器具から前記所定の店舗の店頭に設置された店頭設置型の情報端末に対して前記対象者の消費カロリーに関する情報が提供されるように構成されている。
【００２５】
また、好ましくは、前記健康器具は、前記対象者が携帯して使用する方式の器具である。
【００２６】
また、好ましくは、前記健康器具は、前記対象者を特定するためのＩＤ情報を記憶するためのＩＤ情報記憶手段を有する。
【００２７】
また、好ましくは、前記健康器具は、前記ＩＤ情報記憶手段に記憶された前記ＩＤ情報を前記所定の店舗の店頭に設置された店頭設置型の情報端末に送信するための健康器具側通信手段を有する。
【００２８】
また、好ましくは、前記身体の状態は、身長、体重、血圧、および血糖値を含む。
【００２９】
上記課題を解決するために、本発明は、対象者の健康管理を支援する情報を生成するためにコンピュータを、対象者の身体の状態に関する情報を含む対象者情報を記憶するための対象者情報記憶手段、前記身体の状態に基づいて分類される複数の健康状態カテゴリーを記述した健康状態分類テーブルを記憶するための健康状態分類テーブル記憶手段、  所定の店舗で取り扱われる商品群に関する商品群情報を記憶するための商品群情報記憶手段、および前記対象者情報、前記健康状態分類テーブル、および前記商品群情報に基づいて、前記所定の店舗で取り扱われる商品群の中から前記対象者に適した推奨商品を決定するための推奨商品決定部を含む判定手段、として機能させるための健康管理支援プログラムである。
【発明の効果】
【００３０】
本発明によれば、所定の店舗で取り扱われる商品群の中から、対象者に適した推奨商品を決定するようにしたので、対象者は、この所定の店舗に行けば当該推奨商品を入手できるとの具体的かつ明確な認識を持ち、これにより、対象者をしてその健康行動を取らせ易くなり、ひいては、対象者の健康管理の支援を効果的に行うことができる。
【図面の簡単な説明】
【００３１】
【図１】本発明の一実施形態による健康管理支援システムの概略構成を示した模式図。
【図２】図１に示した健康管理支援システムにおける健康状態分類テーブルの説明図。
【図３】図１に示した健康管理支援システムにおける対象者情報記憶手段の説明図。
【図４】図１に示した健康管理支援システムにおける摂取カロリー情報記憶手段の説明図。
【図５】図１に示した健康管理支援システムにおける消費カロリー情報記憶手段の説明図。
【図６】図１に示した健康管理支援システムにおける商品群情報記憶手段に記憶される商品群リストの説明図。
【図７】図１に示した健康管理支援システムにおける判定手段の推奨商品決定部による推奨商品選定時の判断材料の説明図。
【図８】図１に示した健康管理支援システムにおける歩数計の説明図。
【発明を実施するための形態】
【００３２】
以下、本発明の一実施形態による健康管理支援システムおよびプログラムについて、図１乃至図８を参照して説明する。
【００３３】
図１に示したように、本実施形態による健康管理支援システム１は、インターネット等の通信回線を介して外部のシステムと通信するための通信手段２を備えている。なお、この健康管理支援システム１は、好ましくは、コンピュータを含むサーバ装置によって構成することができる。
【００３４】
また、この健康管理支援システム１は、対象者（ユーザ）の身体の状態に基づいて分類される複数の健康状態カテゴリーを記述した健康状態分類テーブルを記憶するための健康状態分類テーブル記憶手段７を備えている。
【００３５】
図２に示したように、この健康状態分類テーブルは、（１）肥満あり／肥満なし、（２）血糖リスクあり／血糖リスクなし、および（３）血圧リスクあり／血圧リスクなしの３つの観点から、対象者を８つのカテゴリーＡ〜Ｈに分類している。
【００３６】
ここで、肥満あり／肥満なしの判定基準は、ＢＭＩが２５以上であるか否かに基づくものである。血糖リスクあり／血糖リスクなしの判定基準は、ＨｂＡ１ｃが８．０以上であるか否か、および／または、空腹時血糖が１６０以上であるか否かに基づくものである。血圧リスクあり／血圧リスクなしの判定基準は、収縮期血圧１８０以上であるか否か、および／または、拡張期血圧が１１０以上であるか否かに基づくものである。
【００３７】
また、この健康管理支援システム１は、複数の対象者の身体の状態に関する情報を含む対象者情報を記憶するための対象者情報記憶手段６を備えている。
【００３８】
図３に示したように、対象者情報記憶手段６に記憶される身体の状態には、身長、体重、血圧、および血糖値が含まれる。その他、対象者の氏名コード、歩数計ＩＤ、および生年月日が、この対象者情報記憶手段６に記憶される。
【００３９】
対象者情報記憶手段６に対するデータの入力は、例えば、図１に示した複数のユーザ側情報端末１５、システム管理者側情報端末１６、および／または複数の店頭設置型情報端末１４から、通信手段２を介して行われる。
【００４０】
ここで、店頭設置型情報端末１４とは、コンビニエンス・ストア等の小売店の各店頭に設置され、来店者が利用できる情報端末のことである。
【００４１】
また、この健康管理支援システム１は、対象者の摂取カロリーに関する情報を記憶するための摂取カロリー情報記憶手段４、および、対象者の消費カロリーに関する情報を記憶するための消費カロリー情報記憶手段５を備えている。
【００４２】
摂取カロリー情報記憶手段４および／または消費カロリー情報記憶手段５に対するデータの入力は、例えば、図１に示した複数のユーザ側情報端末１５、システム管理者側情報端末１６、および／または複数の店頭設置型情報端末１４から、通信手段２を介して行われる。
【００４３】
図４に示したように、摂取カロリー情報記憶手段４には、対象者の摂取カロリーに関する情報が、摂取日時情報とセットで記憶されている。また、図５に示したように、消費カロリー情報記憶手段５には、対象者の歩数に関する情報が、計測日時情報とセットで記憶されている。
【００４４】
また、この健康管理支援システム１は、所定の店舗で取り扱われる商品群に関する情報を記憶するための商品群情報記憶手段８を備えている。ここで、所定の店舗とは、上述した店頭設置型情報端末１４が設置された店舗のことを言う。
【００４５】
この商品群情報記憶手段８に対するデータの入力は、図１に示したシステム管理者側情報端末１から、通信手段２を介して行われる。商品群情報記憶手段８に記憶される商品群情報は、定期的（例えば１週間毎）に、或いは店頭の品揃えの変更に合わせて随時更新するようにしても良い。
【００４６】
また、この健康管理支援システム１の判定手段３は、対象者情報記憶手段６に記憶されている対象者情報、健康状態分類テーブル記憶手段７に記憶されている健康状態分類テーブル、および商品群情報記憶手段８に記憶されている商品群情報に基づいて、所定の店舗で取り扱われる商品群の中から、対象者に適した推奨商品を決定するための推奨商品決定部１０を含む。
【００４７】
また、判定手段３は、対象者情報記憶手段６に記憶されている身体の状態に関する情報、および、健康状態分類テーブル記憶手段７に記憶されている健康状態分類テーブルに基づいて、対象者が属する健康状態カテゴリーを決定するための健康状態カテゴリー決定部９を有する。
【００４８】
すなわち、健康状態カテゴリー決定部９は、対象者情報記憶手段６に記憶されている対象者の身長と体重からＢＭＩを算出し、このＢＭＩと、対象者情報記憶手段６に記憶されている血糖値および血圧に基づいて、図２に示した健康状態分類テーブルに照らしてその対象者が属するカテゴリーを決定する。
【００４９】
例えば、肥満あり、血糖リスクあり、および血圧リスクありの対象者は、健康状態カテゴリー決定部によって、健康状態分類テーブル中のカテゴリーＡに分類される。また、肥満なし、血糖リスクなし、および血圧リスクなしの対象者は、健康状態分類テーブル中のカテゴリーＨに分類される。
【００５０】
図６に示したように、商品群情報記憶手段８に記憶されている商品群リストには、健康状態カテゴリー毎の推奨商品が記述されている。上述した推奨商品決定部１０は、対象者が属する健康状態カテゴリーに基づいて、商品群リストを参照して推奨商品を決定する。
【００５１】
図６に示した健康状態カテゴリー毎の推奨商品リストをマニュアルで作成する際には、図７に示したように、カロリー、栄養素（炭水化物、たんぱく質、脂質、ビタミン、ミネラル等）、食物繊維の含有量、血糖値への影響、カリウムの含有量、および塩分の含有量等が判断材料とされる。
【００５２】
推奨商品決定部１０によって決定された推奨商品に関する情報は、通信手段２を介して、複数のユーザ側端末１５、複数の店頭設置型情報端末１４、および／またはシステム管理者側情報端末１６に送信される。
【００５３】
判定手段３は、さらに、摂取カロリー情報記憶手段４に記憶された摂取カロリー情報および／または消費カロリー情報記憶手段５に記憶された消費カロリー情報に基づいて、対象者の運動目標を決定するための運動目標決定部１１を有する。
【００５４】
判定手段３は、さらに、摂取カロリー情報記憶手段４に記憶された摂取カロリー情報および／または消費カロリー情報記憶手段５に記憶された消費カロリー情報に基づいて、対象者の摂取カロリー目標を決定するための摂取カロリー目標決定部１２を有する。
【００５５】
運動目標決定部１１および摂取カロリー目標決定部１２によって決定された運動目標および摂取カロリー目標に関する情報は、通信手段２を介して、複数のユーザ側端末１５、複数の店頭設置型情報端末１４、および／またはシステム管理者側情報端末１６に送信される。
【００５６】
判定手段３は、さらに、運動目標および／または摂取カロリー目標の達成状況に関する情報等に基づいて、対象者に対して報償を与えるか否かを決定するための報償要否決定部１３を有する。
【００５７】
一変形例として、報償要否決定部１３は、摂取カロリー情報記録手段４および／または消費カロリー情報記録手段５に対する摂取カロリー情報および／または消費カロリー情報の記録履歴に基づいて、対象者に対して報償を与えるか否かを決定するようにしても良い。
【００５８】
例えば、摂取カロリー情報記録手段４および／または消費カロリー情報記録手段５に対する摂取カロリー情報および／または消費カロリー情報の記録が連続して１週間行われた場合に、対象者に対して報償を与えるとの決定をなすようにすることができる。
【００５９】
報償要否決定部１３において、対象者に報償を与えるとの決定がなされた場合には、所定の店舗の店頭に設置された店頭設置型情報端末１４に対して、通信手段２から報償に関する情報が送信される。
【００６０】
そして、店頭設置型情報端末１４は、通信手段２から受信した報償に関する情報に基づいて、店頭設置型情報端末１４が設置されている所定の店舗で使用可能なクーポン１７を発行する。このクーポン１７は、例えば、店頭設置型情報端末１４が設置されている店舗で取り扱われている商品の引換券または割引券である。
【００６１】
この健康管理支援システム１は、図１に示したように、対象者の消費カロリーに関する情報を取得するための健康器具として、各対象者に提供される複数の歩数計１８をさらに備えている。
【００６２】
図８に示したように、この歩数計１８は、歩数計測手段１９、対象者（歩数計の利用者）を特定するためのＩＤ情報を記憶するためのＩＤ情報記憶手段２０、および歩数計側通信手段２１を備えている。
【００６３】
歩数計側通信手段は２１、ＩＤ情報記憶手段２０に記憶されたＩＤ情報を店頭設置型情報端末１４に送信すると共に、歩数計測手段１９による計測データ（消費カロリーに関する情報）を店頭設置型情報端末１４に送信する。歩数計１８と店頭設置型情報端末１４との間の通信は、例えば非接触型の通信方式によって行われる。
【００６４】
なお、上述した判定手段３は、例えば所定のプログラムにより機能するＣＰＵによって構成することができる。各種の記憶手段４〜８は、例えばメモリによって構成することができる。通信手段２は、例えば通信Ｉ／Ｆによって構成することができる。
【００６５】
以上述べたように、本実施形態による健康管理支援システム１によれば、所定の店舗で取り扱われる商品群の中から、対象者に適した推奨商品を決定するようにしたので、対象者は、この所定の店舗に行けば当該推奨商品を入手できるとの具体的かつ明確な認識を持ち、これにより、対象者をしてその健康行動を取らせ易くなり、ひいては、対象者の健康管理の支援を効果的に行うことができる。
【００６６】
また、この健康管理支援システム１によれば、携帯型の健康器具である歩数計１８を消費カロリー関連の情報の取得手段として使用すると共に、対象者のＩＤ情報を歩数計１８に記憶させ、歩数計１８から店頭設置型情報端末１４にＩＤ情報および計測データを送信するようにしている。
【００６７】
このとき、推奨商品決定部１０によって決定された推奨商品に関する情報を、店頭設置型情報端末１４から対象者に提供するようにすれば、対象者は、その店舗で実際に扱っている推奨商品を、その場で購入することができる。
【００６８】
従って、例えば自宅において推奨商品情報を見た場合に比べて、対象者をして健康行動を取らせることが容易となる。
【００６９】
また、歩数計１８から店頭設置型情報端末１４にＩＤ情報を送った際に、その対象者に対して報償を付与することが、報償要否決定部１３によって既に決定されている場合には、店頭設置型情報端末１４から、その店舗で取り扱っている商品（特に健康食品）に関する報償クーポン１７を提供するようにしても良い。このようにすれば、対象者をしてより一層健康行動を取らせ易くなる。
【００７０】
また、歩数計１８の計測データの入力先を店頭設置型情報端末１４とすることにより、対象者は、この店頭設置型情報端末１４が設置されている所定の店舗に日常的に立ち寄ることになる。そして、この所定の店舗において健康食品を豊富に取り揃えることにより、対象者の食生活習慣の改善をより一層促進することが期待できる。
【符号の説明】
【００７１】
１  健康管理システム
２  通信手段
３  判定手段
４  摂取カロリー情報記憶手段
５  消費カロリー情報記憶手段
６  対象者情報記憶手段
７  健康状態分類テーブル記憶手段
８  商品群情報記憶手段
９  健康状態カテゴリー決定部
１０  推奨商品決定部
１１  運動目標決定部
１２  摂取カロリー目標決定部
１３  報償要否決定部
１４  店頭設置型情報端末
１５  ユーザ側情報端末
１６  システム管理者側情報端末
１７  クーポン（報償）
１８  歩数計（健康機器）
１９  歩数計測手段
２０  ＩＤ情報記憶手段
２１  歩数計側通信手段
【図１】
2014164411.tif 000003
【図２】
2014164411.tif 000004
【図３】
2014164411.tif 000005
【図４】
2014164411.tif 000006
【図５】
2014164411.tif 000007
【図６】
2014164411.tif 000008
【図７】
2014164411.tif 000009
【図８】
2014164411.tif 000010